(57)【要約】【課題】演奏時には、鍵盤ユニットをクッション材に接触状態として、底板への振動の伝達を抑制し得る一方、搬送時には、鍵盤ユニットをクッション材とは非接触状態に固定して、クッション材に圧力が作用することを抑制しつつ、鍵盤ユニットを強固に固定することができる鍵盤装置を提供すること。【解決手段】ホルダ固定ボルト６をめねじ部４ｃに螺合することにより、鍵盤ユニット２を上方へ持ち上げて、クッション材３と非接触な状態に固定することができる。よって、クッション材３への圧力の作用を抑制しつつ、支持ホルダ５を介して鍵盤ユニット３を底板４に強固に固定することができる。一方、ホルダ固定ボルト６を取り外すことにより、鍵盤ユニット２を自重によりクッション材３上に載置することができるので、両部材を接触状態として、底板４への振動の伝達を抑制することができる。【選択図】        図３
2004233773.tif 000002
【特許請求の範囲】
【請求項１】
シャーシに複数の鍵が載置されて成る鍵盤ユニットと、
前記鍵盤ユニットが取り付けられる底板と、
前記底板に設けられた貫通孔を通って前記鍵盤ユニットに固着される鍵盤ユニット支持部材と、
前記鍵盤ユニット支持部材を前記底板に固定する鍵盤ユニット固定用部材と、
前記鍵盤ユニットのシャーシと前記底板との間に配設される緩衝部材とを備え、
前記鍵盤ユニット固定用部材による前記鍵盤ユニット支持部材の前記底板への固定状態が解放された場合には、前記鍵盤ユニットが前記緩衝部材上に置かれ、
前記鍵盤ユニット固定用部材により前記鍵盤ユニット支持部材が前記底板へ固定された場合には、前記鍵盤ユニットが上方に押し上げられるように構成されていることを特徴とする鍵盤装置。
【請求項２】
前記鍵盤ユニット固定用部材は、前記鍵盤ユニット支持部材に設けられた貫通孔を通って前記底板に螺合する鍵盤ユニット固定用ボルトとして構成されていることを特徴とする請求項１記載の鍵盤装置。
【請求項３】
前記鍵盤ユニット固定用ボルトは、前記鍵盤ユニット支持部材の固定状態が解放された場合には、鍵盤装置本体をスタンドに固定するためのスタンド固定用ボルトとして使用されるものであることを特徴とする請求項２記載の鍵盤装置。
【発明の詳細な説明】
【０００１】
【発明の属する技術分野】本発明は、鍵盤装置に関し、特に、演奏時には、鍵盤ユニットをクッション材に接触状態として、底板への振動の伝達を抑制し得る一方、搬送時には、鍵盤ユニットをクッション材とは非接触状態に固定して、クッション材に圧力が作用することを抑制しつつ、鍵盤ユニットを強固に固定することができる鍵盤装置に関するものである。
【０００２】
【従来の技術】電子ピアノは、アコースティックピアノと同様の鍵盤を備えており、この鍵盤の操作に応じた楽音信号が電子回路で作成され、スピーカを介して放音される。近年では、アコースティックピアノに近い鍵タッチ感を得るために、疑似アクション（ハンマ）を備えた電子ピアノが開発されている。
【０００３】
ところで、この電子ピアノの鍵盤は、鍵盤ユニットとしてユニット化されている。この鍵盤ユニットは、底板に取り付けられるが、この取り付けは、従来、底板の下から鍵盤ユニットのシャーシを直接にねじ止めすることにより行われていた。そのため、打鍵による鍵盤ユニットの振動が底板に伝達されてしまい、ケース内で共鳴することにより、大きな打鍵音として外部に聞こえてしまうという問題点があった。
【０００４】
また、疑似アクションを備える場合には、離鍵時にハンマが初期位置へ復帰する際の振動音も底板に伝達され、外部に聞こえてしまう。特に、電子ピアノの演奏がヘッドホンを使用して行われる場合、周囲の人間にとっては、演奏に伴う打鍵音や振動音といった操作音だけが聞こえるため、電子ピアノが騒音源になるという問題点があった。
【０００５】
そこで、このような問題点を解消する技術が種々提案されている。例えば、特開平６−２３０７７１号公報および特開２０００−１３２１６８号公報には、鍵盤ユニットを底板にねじ止めするに際し、これら鍵盤ユニットと底板との間に消音用緩衝材としてのクッション材を介装する技術が記載されている。この技術によれば、打鍵時の鍵盤ユニットからの振動がクッション材により吸収されるので、底板への振動の伝達を抑制して、打鍵音などの操作音を小さくすることができるのである。
【０００６】
【特許文献１】特開平６−２３０７７１号公報（例えば、第２図〜第４図）
【特許文献２】特開２０００−１３２１６８号公報（例えば、第１図）
【０００７】
【発明が解決しようとする課題】しかしながら、上述した鍵盤装置では、鍵盤ユニットを底板にねじ止めするためのねじが強く締結されると、クッション材に大きな圧力が作用して、その消音用緩衝材としての効果が低下するため、打鍵音などの操作音を十分に小さくすることができないという問題点があった。また、この場合には、長期間変形し続けたクッション材に永久ひずみが発生して、その弾性回復力が低下してしまうため、この点からも、打鍵音などの操作音を十分に小さくすることができないという問題点があった。
【０００８】
そのため、電子ピアノの製造に際しては、演奏時においてクッション材に適切な圧力が作用するように、鍵盤ユニットを底板にねじ止めするためのねじの締結力を調整するが、一方で、このように、ねじの締結力が調整された（緩められた）場合には、鍵盤ユニットを底板に強固に固定することができず、その固定状態が不安定となるため、工場出荷時や搬送時の振動により、かかる鍵盤装置の破損や故障を招くという問題点があった。
【０００９】
本発明は上述した問題点を解決するためになされたものであり、演奏時には、鍵盤ユニットをクッション材に接触状態として、底板への振動の伝達を抑制し得る一方、搬送時には、鍵盤ユニットをクッション材と非接触状態として、クッション材に圧力が作用することを抑制しつつ、鍵盤ユニットを強固に固定することができる鍵盤装置を提供することを目的としている。
【００１０】
【課題を解決するための手段】この目的を達成するために、請求項１記載の鍵盤装置は、シャーシに複数の鍵が載置されて成る鍵盤ユニットと、前記鍵盤ユニットが取り付けられる底板と、前記底板に設けられた貫通孔を通って前記鍵盤ユニットに固着される鍵盤ユニット支持部材と、前記鍵盤ユニット支持部材を前記底板に固定する鍵盤ユニット固定用部材と、前記鍵盤ユニットのシャーシと前記底板との間に配設される緩衝部材とを備え、前記鍵盤ユニット固定用部材による前記鍵盤ユニット支持部材の前記底板への固定状態が解放された場合には、前記鍵盤ユニットが前記緩衝部材上に置かれ、前記鍵盤ユニット固定用部材により前記鍵盤ユニット支持部材が前記底板へ固定された場合には、前記鍵盤ユニットが上方に押し上げられるように構成されている。
【００１１】
この請求項１記載の鍵盤装置によれば、鍵盤ユニットの底板への取り付けは、鍵盤ユニット支持部材が底板に設けられた貫通孔を通って鍵盤ユニットに固着されることにより行われる。この固着された鍵盤ユニット支持部材材が鍵盤ユニット固定部材により底板に固定された場合には、鍵盤ユニットが上方に押し上げられるので、鍵盤ユニットと緩衝部材とが非接触状態とされる一方、固着された鍵盤ユニット支持部材材の鍵盤ユニット固定部材による固定状態が解放された場合には、鍵盤ユニットと緩衝部材とが接触状態とされる。
【００１２】
そのため、演奏時に、鍵盤ユニット支持部材の鍵盤ユニット固定部材による固定状態を解放することにより、鍵盤ユニットと緩衝部材とが接触状態とされるので、鍵盤ユニットの振動が緩衝部材に吸収され、かかる振動が底板へ伝達されることが抑制される。一方、搬送時に、鍵盤ユニット固定部材により鍵盤ユニット支持部材を底板に固定することで、鍵盤ユニットが強固に固定されると共に、鍵盤ユニットと緩衝部材とが非接触状態とされるので、かかる緩衝部材への過大な圧力の作用が抑制される。ここで、例えば、底板に設けられる貫通孔の形状をその貫通孔に通される鍵盤ユニット支持部材の挿通部に対応する形状に構成して、鍵盤ユニット支持部材の水平方向への移動を規制可能に構成しても良い。
【００１３】
請求項２記載の鍵盤装置は、請求項１記載の鍵盤装置において、前記鍵盤ユニット固定用部材は、前記鍵盤ユニット支持部材に設けられた貫通孔を通って前記底板に螺合する鍵盤ユニット固定用ボルトとして構成されている。
【００１４】
この請求項２記載の鍵盤装置によれば、請求項１記載の鍵盤装置と同様に作用する上、鍵盤ユニット固定用ボルトとして構成される鍵盤ユニット固定用部材が鍵盤ユニット支持部材に設けられた貫通孔を通って底板に螺合されると、その鍵盤ユニット支持部材が固定される一方、かかる鍵盤ユニット固定用部材（鍵盤ユニット固定用ボルト）が緩められると、鍵盤ユニット支持部材の固定状態が解放される。
【００１５】
請求項３記載の鍵盤装置は、請求項２記載の鍵盤装置において、前記鍵盤ユニット固定用ボルトは、前記鍵盤ユニット支持部材の固定状態が解放された場合には、鍵盤装置本体をスタンドに固定するためのスタンド固定用ボルトとして使用されるものである。
【００１６】
この請求項３記載の鍵盤装置によれば、請求項２記載の鍵盤装置と同様に作用する上、例えば、鍵盤装置が工場から出荷され使用される場合には、まず、底板に螺合された鍵盤ユニット固定用ボルトが緩められ取り外される。これにより、鍵盤ユニット支持部材の固定状態が解放される。次いで、取り外された鍵盤ユニット固定用ボルトがスタンド固定用ボルトとして使用され、鍵盤装置本体がスタンドに固定される。その結果、鍵盤装置が搭載された電子楽器が組み立てられ、使用可能な状態とされる。
【００１７】
【発明の効果】請求項１記載の鍵盤装置によれば、演奏時には、鍵盤ユニットを緩衝部材に接触状態とすることができるので、底板への振動の伝達を抑制して、打鍵音などの操作音を小さくすることができるという効果がある。一方、搬送時には、鍵盤ユニットを緩衝部材とは非接触状態に固定することができるので、緩衝部材に圧力が作用することを回避して、永久ひずみの発生を抑制しつつ、鍵盤ユニットを強固に固定して、その破損を抑制することができるという効果がある。
【００１８】
請求項２記載の鍵盤装置によれば、請求項１記載の鍵盤装置の奏する効果に加え、鍵盤ユニット固定用部材は、底板に螺合可能な鍵盤ユニット固定用ボルトとして構成されているので、鍵盤ユニット支持部材を固定する作業やその固定状態を解放する作業を容易に行い得るという効果がある。更に、例えば、かかる鍵盤ユニット固定用部材をレバー機構などを使用して構成する場合と比較して、その構造を簡素化することができるので、その分、部品コストや製造コストを低減して、鍵盤装置全体としての製品コストの低減を図ることができるという効果がある。
【００１９】
請求項３記載の鍵盤装置によれば、請求項１記載の鍵盤装置の奏する効果に加え、鍵盤ユニット固定用ボルトは、鍵盤装置本体をスタンドに固定するためのスタンド固定用ボルトとして使用可能に構成されているので、かかる鍵盤ユニット固定用ボルトの不用意な取り外し忘れを防止することができるという効果がある。その結果、鍵盤ユニット支持部材の固定状態を確実に解放して、演奏時の底板への振動の伝達を確実に抑制することができる。
【００２０】
また、このように、鍵盤ユニット固定用ボルトをスタンド固定用ボルトとして流用することにより、部品点数を減少させることができるので、その分、部品コストや製造コストを低減して、鍵盤装置全体としての製品コストの低減を図ることができるという効果がある。
【００２１】
【発明の実施の形態】以下、本発明の好ましい実施例について添付図面を参照して説明する。図１は、本発明の第１実施例における鍵盤装置１の分解斜視図である。なお、図中の矢印は、各構成部品の組み付け方向を示している。まず、図１を参照して、鍵盤装置１の外観構成について説明する。
【００２２】
鍵盤装置１は、演奏者による鍵盤操作部として構成されると共に、その鍵盤の操作状態を検出するための装置であり、電子ピアノ２０（図４参照）に搭載される。この鍵盤装置１によれば、演奏時には、鍵盤ユニット２をクッション材３と接触状態として（図３（ａ）参照）、そのクッション材３の消音効果により打鍵音等の操作音を小さくすることができる一方で、搬送時には、鍵盤ユニット２をクッション材３とは非接触の状態に固定して（図３（ｂ）参照）、クッション材３の永久ひずみの発生を抑制しつつ、鍵盤ユニット２の破損等を抑制することができる。
【００２３】
鍵盤装置１は、鍵盤ユニット２と、クッション材３と、底板４と、支持ホルダ５と、ホルダ固定ボルト６とを主に備えて構成されている。鍵盤ユニット２は、金属材料から構成される金属シャーシ２ａに複数の鍵（白鍵および黒鍵）を載置して構成されており、その内部には、鍵の操作（押鍵または離鍵）状態を検出するためのスイッチやそのスイッチが設けられる基板、アコースティックピアノに近い鍵タッチ感を得るためのハンマ機構（いずれも図示せず）等が内蔵されている。
【００２４】
クッション材３は、打鍵による鍵盤ユニット２の振動を吸収して、後述する底板４への振動の伝達を抑制するための部材である。このクッション材３は、所定の厚みを有する帯状体に形成されており、図１に示すように、後述する底板４の上面（図１上側面）に複数枚（本実施例では合計６枚）が貼着されている。演奏時には、このクッション材３に上述した鍵盤ユニット２の金属シャーシ２ａが載置され接触される（図３（ａ）参照）。
【００２５】
クッション材３の材質としては、消音などのための緩衝材としての機能を発揮するものであれば、防振ゴム、フェルト、発泡ゴム、発泡ウレタンなどで構成することができる。本実施例では、高密度かつ微細均一なセル構造を有する発泡体としての高密度ウレタンフォームからクッション材３を構成した。これにより、クッション材３の圧縮残留ひずみを小さくすることができると共に、エネルギー吸収性を向上させることができる。また、クッション材３の寸法安定性や耐熱性、加工効率を向上させることができ、更に、他素材への汚染等の影響を抑制することもできる。
【００２６】
なお、クッション材３に使用する高密度ウレタンフォームの機械的特性としては、密度：略０．２０［ｇ／立方ｃｍ］、引張強度：略３．１［ｋｇ／平方ｃｍ］、伸び：略１５０［パーセント］、引裂強度：略１．３［ｋｇ／ｃｍ］、２５パーセント圧縮加重：略０．２［ｋｇ／平方ｃｍ］、圧縮残留歪：略５．９［パーセント］程度であることが好ましい。クッション材３に緩衝材としての機能を十分に発揮させ、打鍵による鍵盤ユニット２の振動を確実に吸収させるためである。
【００２７】
本実施例のクッション材３は、その厚みが略３ｍｍに構成されると共に、横幅が後述する底板４の角孔４ａ，４ｂと略同等幅に構成され、また、図１に示すように、後述する底板４の長手方向に向かって略平行に列設されている。但し、このクッション材３の厚みや横幅、配設位置などは、鍵盤ユニット２の重量やその金属シャーシ２ａの形状などに応じて適宜変更することが好ましい。
【００２８】
底板４は、鍵盤ユニット２が載置される部材であり、図１に示すように、正面視略矩形の平板状に形成されている。この底板４は、クッション材３に隣接する位置において貫通形成される一対の角孔４ａ，４ｂと、これら一対の角孔４ａ，４ｂの略中間位置に配設されるめねじ部４ｃとを複数備えている。
【００２９】
角孔４ａ，４ｂは、後述する支持ホルダ５のシャーシ支持部５ａ，５ｂが挿通される貫通孔であり（図３（ａ）参照）、図１に示すように、断面略矩形状に穿設されている。また、めねじ部４ｃは、後述するホルダ固定ボルト６が螺合される部位であり（図３（ｂ）参照）、ナットを埋め込んで構成されている。
【００３０】
なお、底板４の貫通孔（角孔４ａ，４ｂ）は、必ずしも断面略矩形の角孔である必要はなく、断面略円形や断面略楕円の貫通孔で有っても良く、或いは、角孔４ａ，４ｂのコーナー部のみを円弧状に形成するなど、これら複数の形状を組み合わせたものであっても良い。これは、後述する支持ホルダ５のシャーシ支持部５ａ，５ｂの形状に対しても、同様である。
【００３１】
支持ホルダ５は、鍵盤ユニット２を支持するための金属製の部材であり、一対のシャーシ支持部５ａ，５ｂと、挿通孔５ｃとを備えている。なお、本実施例では、図１に示すように、４個の支持ホルダ５により鍵盤ユニット２を支持するように構成されているが、かかる支持ホルダ５の個数は、鍵盤ユニット２の重量やその金属シャーシ２ａの形状などに応じて適宜増減することが好ましい。
【００３２】
シャーシ支持部５ａ，５ｂは、底板４に穿設された角孔４ａ，４ｂに挿通され、鍵盤ユニット２の金属シャーシ２ａに固着される部位であり（図３（ａ）参照）、角孔４ａ，４ｂに対応する断面形状（大きさ）にそれぞれ構成されている。そのため、これらシャーシ支持部５ａ，５ｂを角孔４ａ，４ｂにそれぞれ挿通させることにより、両部材が嵌合して、鍵盤ユニット２の水平方向への移動を規制することができる。なお、シャーシ支持部５ａ，５ｂは、図１に示すように、ねじ９により鍵盤ユニット２の金属シャーシ２ａに螺着される。
【００３３】
挿通孔５ｃは、後述するホルダ固定ボルト６が挿通される貫通孔であり（図３（ｂ）参照）、図１に示すように、底板４のめねじ部４ｃに対応するように、一対のシャーシ支持部５（ａ），５（ｂ）の略中間位置に穿設されている。なお、本実施例では、図１に示すように、各支持ホルダ５の１カ所のみに挿通孔５ｃを穿設したが、かかる挿通孔５ｃの穿設個数は、鍵盤ユニット２の重量やその金属シャーシ２ａの形状などに応じて適宜増加することが好ましい。これは、底板４に形成されるめねじ部４ｃに対しても、同様である。
【００３４】
ホルダ固定ボルト６は、支持ホルダ５を底板４に押しつけて固定するための部材であり（図３（ｂ）参照）、棒状のおねじ部が支持ホルダ５の挿通孔５ｃに挿通され底板４のめねじ部４ｃに螺合される。なお、ホルダ固定ボルト６は、後述するように、鍵盤装置本体２１をスタンド２２に固定するボルトとして流用される（図５参照）。よって、ホルダ固定ボルト６の頭部は、工具を不要とし手動での螺合作業を可能とするために、図１に示すように、円盤状に形成されている。
【００３５】
次に、図２を参照して、各構成部品寸法の対応関係について説明する。図２は、図１のＩＩ−ＩＩ線における鍵盤装置１の断面図である。なお、図２では、鍵盤ユニット２に内蔵されるスイッチや基板、ハンマ機構などの図示が省略されている。
【００３６】
上述したように、底板４の上面（図２上側面）には、クッション材３が貼着されており、これらクッション材３と底板４とを重ねた厚み寸法は、図２に示すように、「Ｔ」とされている。また、支持ホルダ５のシャーシ支持部５ａ，５ｂの高さ寸法は、図２に示すように、「Ｈ」とされている。
【００３７】
ここで、シャーシ支持部５ａ，５ｂの高さ寸法Ｈは、クッション材３と底板４とを重ねた厚み寸法Ｔよりも大きくされており（Ｈ＞Ｔ）、これら高さ寸法Ｈと厚み寸法Ｔとの寸法差は、「Ｄ（＝Ｈ−Ｔ）」とされている。なお、本実施例では、寸法差Ｄが略１ｍｍとされている。
【００３８】
従って、支持ホルダ５のシャーシ支持部５ａ，５ｂを底板４の角孔４ａ，４ｂに挿通し、シャーシ支持部５ａ，５ｂとクッション材３とを同一高さとした場合には、支持ホルダ５と底板４との間に寸法差Ｄの分だけの隙間が形成され（図３（ａ）参照）、シャーシ支持部５ａ，５ｂを更に挿通して底板４に押しつけた場合には、シャーシ支持部５ａ，５ｂがクッション材３よりも寸法差Ｄの分だけ高くされる（図３（ｂ）参照）。
【００３９】
次に、図３（ａ），（ｂ）を参照して、支持ホルダ５による鍵盤ユニット２の支持方法、及び、支持ホルダ５をホルダ固定ボルト６により固定して、鍵盤ユニット２をクッション材３と非接触状態とする方法について説明する。
【００４０】
図３（ａ）は、ホルダ固定ボルト６による支持ホルダ５の固定を解放した状態を示す図であり、図３（ｂ）は、ホルダ固定ボルト６により支持ホルダ５を固定した状態を示す図である。なお、図３（ａ）では、鍵盤ユニット２の重量によるクッション材３への負荷は考慮せず、クッション材３を非圧縮状態で図示している。
【００４１】
まず、支持ホルダ５による鍵盤ユニット２の支持方法について説明する。この場合には、支持ホルダ５のシャーシ支持部５ａ，５ｂを底板４の角孔４ａ，４ｂに挿通し、図３（ａ）に示すように、挿通したシャーシ支持部５ａ，５ｂを鍵盤ユニット２の金属シャーシ２ａに当接させた後、ねじ９により螺着する。これにより、鍵盤ユニット２が支持ホルダ５に支持されると共に、シャーシ支持部５ａ，５ｂと底板４の角孔４ａ，４ｂとの位置関係によって、底板４上における鍵盤ユニット２の配設位置が決定される。
【００４２】
上述したように、シャーシ支持部５ａ，５ｂの高さ寸法Ｈは、クッション材３と底板４とを重ねた厚さ寸法Ｔよりも大きくされているので（図２参照）、シャーシ支持部５ａ，５ｂとクッション材３とが同一高さに設定された場合には、図３（ａ）に示すように、底板４の下面と支持ホルダ５との間に寸法差Ｄ（＝Ｈ−Ｔ）の分だけ隙間が形成される。
【００４３】
なお、実際の演奏時には、鍵盤ユニット２の重量によりクッション材３が圧縮されるので、底板４の下面と支持ホルダ５との間に形成される隙間は、クッション材３の圧縮分だけ寸法差Ｄよりも大きくなる。
【００４４】
次いで、支持ホルダ５をホルダ固定ボルト６により固定して、鍵盤ユニット２をクッション材３と非接触状態とする方法について説明する。この場合には、ホルダ固定ボルト６を支持ホルダ５に穿設された挿通孔５（ｃ）に挿通し、そのホルダ固定ボルト６を底板４に形成されためねじ部４ｃに螺合する。
【００４５】
これにより、図３（ｂ）に示すように、支持ホルダ５が底板４に押しつけられるので、鍵盤ユニット２は、図３（ａ）に示す寸法差Ｄの隙間の分だけ底板４から上方（図３（ｂ）上側）持ち上げられ、鍵盤ユニット２の金属シャーシ２ａと底板４に貼着されたクッション材３との間には、図３（ｂ）に示すように、寸法差Ｄ（＝Ｈ−Ｔ、図２参照）の分だけの隙間が形成される。その結果、鍵盤ユニット２とクッション材３とを非接触状態とすることができると共に、かかる非接触状態を維持しつつ、支持ホルダ５を介して、鍵盤ユニット２を底板４に強固に固定することができる。
【００４６】
よって、例えば、工場出荷時や搬送時には、クッション材３に過大な圧力が作用することを回避して、永久ひずみの発生を抑制することにより、クッション材３の弾性回復力の低下によるクッション効果（消音効果）の低下を抑制しつつ、鍵盤ユニット２を強固に固定して、その破損や故障を抑制することができるのである。
【００４７】
一方、図３（ｂ）に示す状態から、ホルダ固定ボルト６を緩めて取り外した場合には、そのホルダ固定ボルト６による支持ホルダ５の固定状態が解放されるので、鍵盤ユニット２がその自重により底板４（クッション材３）上に載置され、図３（ａ）に示すように、鍵盤ユニット２（金属シャーシ２）とクッション材３とを接触状態とすることができる。
【００４８】
よって、演奏時には、鍵盤ユニット２の打鍵時の振動をクッション材３によって吸収して、かかる振動が底板４に伝達されることを抑制することができるので、打鍵音などの操作音を小さくすることができるのである。
【００４９】
特に、本発明の鍵盤ユニット２は、その自重により底板４（クッション材３）上に固定されるので、従来の鍵盤装置のように、鍵盤ユニットの底板への固定に際し、ボルト等で鍵盤ユニット、クッション材および底板を締め付ける必要がない。よって、そのねじの締結力により、クッション材３に過大な圧力が作用して、そのクッション効果（消音効果）が低下することもない。従って、適切な圧縮状態でクッション材３を使用することできるので、打鍵音などの操作音をより確実に小さくすることができるのである。
【００５０】
なお、上述したように、シャーシ支持部５ａ，５ｂの断面形状は、角孔４ａ，４ｂの断面形状に対応して構成されているので、これらシャーシ支持部５ａ，５ｂと角孔４ａ，４ｂとの関係により、鍵盤ユニット２の水平方向への移動を規制することができる。よって、図３（ａ）に示すように、ホルダ固定ボルト６による支持ホルダ５の固定状態が解放された場合でも、かかる鍵盤ユニット２を安定した状態に底板４（クッション材３）上に固定することができる。
【００５１】
次いで、図４を参照して、電子ピアノ２０の外観構成について説明する。図４は、電子ピアノ２０の分解斜視図である。
【００５２】
電子ピアノ２０は、本発明の鍵盤装置１が搭載される鍵盤装置本体２１と、その鍵盤装置本体２１を支持するスタンド２２とを主に備えており、図４に示すように、設置面上に立設されたスタンド２２に鍵盤装置本体２１を載置して、その鍵盤装置本体２１をスタンド２２に固定することにより、使用可能な状態に組み立てられる。
【００５３】
鍵盤装置本体２１は、図４に示すように、その底面側に突設される取り付けピン３１と、上述したホルダ固定ボルト６が螺合可能な螺合部３２とを備えている。また、スタンド２２は、側板２２ａに設けられる金属製の取り付け金具３３を備えており、その取り付け金具３３には、鍵盤装置本体２１の取り付けピン３１が係合可能な係合部３３ａと、上述したホルダ固定ボルト６が挿通可能な挿通部３３ｂとが形成されている。
【００５４】
次に、図５（ａ），（ｂ）を参照して、電子ピアノ２０の組み立て方法について説明する。図５は、図４の矢印Ｖ方向から見た電子ピアノ２０の底面図であり、図５（ａ）は、ホルダ固定ボルト６により支持ホルダ５が固定された状態を示しており、図５（ｂ）は、取り外されたホルダ固定ボルト６により鍵盤装置本体２１がスタンド２２に固定された状態を示している。
【００５５】
ここで、工場出荷時の鍵盤装置本体２１（鍵盤装置１）は、上述したように、クッション材３の永久ひずみの発生と鍵盤ユニット２の破損等を抑制するべく、図５（ａ）に示すように、支持ホルダ５がホルダ固定ボルト６により底板４に固定され、鍵盤ユニット２がクッション材３と非接触とされている。そのため、演奏時には、ホルダ固定ボルト６を取り外して、支持ホルダ５の固定状態を解放しなければ、鍵盤ユニット２がクッション材３に接触されず、打鍵音等の操作音を小さくすることができない。
【００５６】
そこで、本実施例の鍵盤装置本体２１（鍵盤装置１）は、後述するように、ホルダ固定ボルト６を鍵盤装置本体２１とスタンド２２との固定用ボルトとして使用することにより、電子ピアノ２０の組み立て時にかかるホルダ固定ボルト６を取り外し忘れることを防止している。
【００５７】
即ち、電子ピアノ２０を組み立てるに際しては、まず、鍵盤装置本体２１をスタンド２２に載置して、鍵盤装置本体２１に突設された取り付けピン３１をスタンド２２に設けられた取り付け金具３３の係合部３３ａ開口部に合致させる（図４参照）。そして、鍵盤装置本体２１を手前（図５（ａ）下側）に引き寄せることにより、取り付けピン３１を取り付け金具３２の係合部３２に係合させる。
【００５８】
これにより、鍵盤装置本体２１がスタンド２２に対して位置決めされ、図５（ａ）に示すように、鍵盤装置本体２１の螺合部３２と取り付け金具３３の挿通部３３ｂとの穴位置が一致されるので、ホルダ固定ボルト６を取り外し、かかるホルダ固定ボルト６を係合部３３ａを挿通し、螺合部３２に螺合させる。これにより、図５（ｂ）に示すように、鍵盤装置本体２１がスタンド２２に固定され、電子ピアノ２０が組み立てられると共に、ホルダ固定ボルト６の不用意な取り外し忘れを確実に防止することができる。
【００５９】
次に、図６及び図７を参照して第２実施例について説明する。第１実施例の鍵盤装置１では、支持ホルダ５のシャーシ支持部５ａ，５ｂを底板４の角孔４ａ，４ｂに挿通するように構成されていたのに対し、第２実施例の鍵盤装置１００は、鍵盤ユニット２の金属シャーシ１０２ａが底板４の角孔４ａ，４ｂに挿通される。なお、前記した第１実施例と同一の部分には同一の符号を付して、その説明は省略する。
【００６０】
図６は、第２実施例における鍵盤装置１００の断面図であり、図１のＩＩ−ＩＩ線における断面図に相当する。また、図７（ａ）は、ホルダ固定ボルト６による支持ホルダ１０５の固定を解放した状態を示す図であり、図７（ｂ）は、ホルダ固定ボルト６により支持ホルダ１０５を固定した状態を示す図である。なお、図７（ａ）では、鍵盤ユニット２の重量によるクッション材３への負荷は考慮せず、クッション材３を非圧縮状態で図示している。
【００６１】
金属シャーシ１０２ａは、図６に示すように、平面部１０２ａ０と、その平面部１０２ａ０から所定の高さに突設されるホルダ支持部１０２ａ１，１０２ａ２とを備えている。平面部１０２ａ０は、鍵盤ユニット２が底板４上に載置された場合に、クッション材３と接触する部位である。
【００６２】
ホルダ支持部１０２ａ１，１０２ａ２は、底板４に穿設された角孔４ａ，４ｂに挿通され、支持ホルダ１０５が固着される部位であり（図７（ａ）参照）、角孔４ａ，４ｂに対応する断面形状（大きさ）にそれぞれ構成されている。なお、支持ホルダ１０５は、図６に示すように、平板状に形成されており、ホルダ支持部１０２ａ１，１０２ａ２には、ねじ９により螺着される。
【００６３】
ホルダ支持部１０２ａ１，１０２ａ２の平面部１０２ａ０からの高さ寸法は、図６に示すように、「Ｈ」とされており、この高さ寸法Ｈは、クッション材３と底板４とを重ねた厚み寸法Ｔよりも大きくされている（Ｈ＞Ｔ）。また、これら高さ寸法Ｈと厚み寸法Ｔとの寸法差は、「Ｄ」とされている（Ｄ＝Ｈ−Ｔ）。
【００６４】
従って、金属シャーシ１０２ａのホルダ支持部１０２ａ１，１０２ａ２を底板４の角孔４ａ，４ｂに挿通し、金属シャーシ１０２ａの平面部１０２ａ０をクッション材３に接触させた場合には、図７（ａ）に示すように、支持ホルダ１０５と底板４との間に寸法差Ｄの分だけの隙間が形成される一方、支持ホルダ１０５が底板４に押しつけられて固定された場合には、図７（ｂ）に示すように、金属シャーシ１０２ａの平面部１０２ａ０とクッション材３との間に寸法差Ｄの分だけの隙間が形成される。
【００６５】
その結果、上述した第１実施例と同様に、支持ホルダ１０５をホルダ固定ボルト６により底板４に押しつけて固定することにより、鍵盤ユニット２（金属シャーシ１０２ａの平面部１０２ａ０）とクッション材３とを非接触状態とすることができると共に、かかる非接触状態を維持しつつ、支持ホルダ１０５を介して、鍵盤ユニット２を底板４に強固に固定することができる。その結果、例えば、工場出荷時や搬送時には、クッション材３に過大な圧力が作用することを回避して、永久ひずみの発生を抑制することができると共に、鍵盤ユニット２の破損や故障を抑制することもできるのである。
【００６６】
一方、図７（ｂ）に示す状態から、ホルダ固定ボルト６を緩めて取り外した場合には、上述した第１実施例と同様に、支持ホルダ５の固定状態が解放され、図７（ａ）に示すように、鍵盤ユニット２（金属シャーシ１０２ａの平面部１０２ａ０）とクッション材３とを接触状態とすることができる。その結果、例えば、演奏時には、鍵盤ユニット２の打鍵時の振動をクッション材３によって吸収して、かかる振動が底板４に伝達されることを抑制することができるので、打鍵音などの操作音を小さくすることができるのである。
【００６７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６８】
例えば、上記各実施例の鍵盤装置１，１００では、ホルダ固定ボルト６を底板４に螺合させることにより、支持ホルダ５、１０５が底板４に押しつけられて固定される場合を説明したが、支持ホルダ５，１０５の固定手段は、必ずしもこれに限られるわけではなく、他の手段を使用することは当然可能である。
【００６９】
例えば、かかる固定手段をレバー機構を使用して構成しても良い。この場合には、レバー機構を１の方向へ押し倒すことにより、支持ホルダ５，１０５を底板４に押しつけた状態に固定可能とすると共に、他の方向へ引き戻すことにより、支持ホルダ５の固定状態を解放可能とするように構成する。また、かかる固定手段を嵌合金具により構成しても良い。この場合には、例えば、嵌合金具を断面コ字状に形成し、そのコ字部間に支持ホルダ５，１０５と底板４とを重ねて嵌め込むことにより、支持ホルダ５，１０５を底板４に押しつけた状態に固定可能とすると共に、嵌合金具を取り外すことにより、支持ホルダ５の固定状態を解放可能とするように構成する。なお、ここでいう固定手段としてのレバー機構および嵌合金具は、請求項１に記載した鍵盤ユニット固定用部材にそれぞれ該当する。
【図面の簡単な説明】
【図１】本発明の第１実施例における鍵盤装置の分解斜視図である。
【図２】図１のＩＩ−ＩＩ線における鍵盤装置の断面図である。
【図３】（ａ）は、ホルダ固定ボルトによる支持ホルダの固定を解放した状態を示す図であり、（ｂ）は、ホルダ固定ボルトにより支持ホルダを固定した状態を示す図である。
【図４】電子ピアノの分解斜視図である。
【図５】図４の矢印Ｖ方向から見た電子ピアノの底面図である。
【図６】第２実施例における鍵盤装置の断面図である。
【図７】（ａ）は、ホルダ固定ボルトによる支持ホルダの固定を解放した状態を示す図であり、（ｂ）は、ホルダ固定ボルトにより支持ホルダを固定した状態を示す図である。
【符号の説明】
１，１００          鍵盤装置
２                  鍵盤ユニット
２ａ，１０２ａ      金属シャーシ（シャーシ）
３                  クッション材（緩衝部材）
４                  底板
４ａ，４ｂ          角孔（底板に設けられた貫通孔）
５，１０５          支持ホルダ（鍵盤ユニット支持部材）
５ａ，５ｂ          シャーシ支持部（鍵盤ユニット支持部材の一部）
５ｃ，１０５ｃ      挿通孔（鍵盤ユニット支持部材に設けられた貫通孔）
６                  ホルダ固定ボルト（鍵盤ユニット固定用部材、鍵盤ユニット固定用ボルト、スタンド固定用ボルト）
２１                鍵盤装置本体
２２                スタンド
【図１】
2004233773.tif 000003
【図２】
2004233773.tif 000004
【図３】
2004233773.tif 000005
【図４】
2004233773.tif 000006
【図５】
2004233773.tif 000007
【図６】
2004233773.tif 000008
【図７】
2004233773.tif 000009